(57)【要約】【課題】内視鏡の製造コストの増大を防ぎながら、内視鏡が使用状態と未使用状態のどちらにあるのかを識別することのできる内視鏡の制御装置、内視鏡装置、内視鏡の状態識別方法、及び内視鏡の状態識別プログラムを提供する。【解決手段】内視鏡１の制御装置２は、内視鏡１に含まれる撮像素子２３から出力された撮像画像信号を取得し、この撮像画像信号から予め決められたパターンを検出するパターン検出部４４Ａと、このパターンが検出された場合には内視鏡１が未使用状態にあることを認識し、このパターンが非検出の場合には内視鏡１が使用状態にあることを認識する状態識別部４４Ｂと、を備える。【選択図】図４
2020025800.tif 000002
【特許請求の範囲】
【請求項１】
内視鏡の制御装置であって、
前記内視鏡に含まれる撮像素子から出力された撮像画像信号を取得し、前記撮像画像信号から予め決められたパターンを検出するパターン検出部と、
前記パターンが検出された場合には前記内視鏡が未使用状態にあることを認識し、前記パターンが非検出の場合には前記内視鏡が使用状態にあることを認識する状態識別部と、を備える内視鏡の制御装置。
【請求項２】
請求項１記載の内視鏡の制御装置であって、
前記パターンは、前記制御装置が収容される収容部に設けられた内視鏡を保持するための内視鏡保持部に前記内視鏡が保持された状態における前記撮像素子の撮像範囲内に存在する物体に配置されるマークの形状である内視鏡の制御装置。
【請求項３】
請求項２記載の内視鏡の制御装置であって、
前記物体は、前記収容部の一部である内視鏡の制御装置。
【請求項４】
請求項２又は３記載の内視鏡の制御装置であって、
前記物体は、前記収容部の設置されている床である内視鏡の制御装置。
【請求項５】
請求項１記載の内視鏡の制御装置であって、
前記パターンは、前記制御装置が収容される収容部に設けられた内視鏡を保持するための内視鏡保持部に前記内視鏡が保持された状態における前記撮像素子の撮像範囲内に存在する前記収容部の形状である内視鏡の制御装置。
【請求項６】
請求項１記載の内視鏡の制御装置であって、
前記パターンは、前記制御装置が収容される収容部に設けられた内視鏡を保持するための内視鏡保持部に前記内視鏡が保持された状態における前記撮像素子の撮像範囲内に存在する物体に配置されるマークの形状と、前記撮像範囲内に存在する前記収容部の形状である内視鏡の制御装置。
【請求項７】
請求項１から６のいずれか１項記載の内視鏡の制御装置と、
前記制御装置によって制御される内視鏡と、を備える内視鏡装置。
【請求項８】
内視鏡の状態識別方法であって、
前記内視鏡に含まれる撮像素子から出力された撮像画像信号を取得し、前記撮像画像信号から予め決められたパターンを検出するパターン検出ステップと、
前記パターンが検出された場合には前記内視鏡が未使用状態にあることを認識し、前記パターンが非検出の場合には前記内視鏡が使用状態にあることを認識する状態識別ステップと、を備える内視鏡の状態識別方法。
【請求項９】
請求項８記載の内視鏡の状態識別方法であって、
前記パターンは、前記内視鏡を制御する制御装置が収容される収容部に設けられた内視鏡を保持するための内視鏡保持部に前記内視鏡が保持された状態における前記撮像素子の撮像範囲内に存在する物体に配置されるマークの形状である内視鏡の状態識別方法。
【請求項１０】
請求項９記載の内視鏡の状態識別方法であって、
前記物体は、前記収容部の一部である内視鏡の状態識別方法。
【請求項１１】
請求項９又は１０記載の内視鏡の状態識別方法であって、
前記物体は、前記収容部の設置されている床である内視鏡の状態識別方法。
【請求項１２】
請求項８記載の内視鏡の状態識別方法であって、
前記パターンは、前記内視鏡を制御する制御装置が収容される収容部に設けられた内視鏡を保持するための内視鏡保持部に前記内視鏡が保持された状態における前記撮像素子の撮像範囲内に存在する前記収容部の形状である内視鏡の状態識別方法。
【請求項１３】
請求項８記載の内視鏡の状態識別方法であって、
前記パターンは、前記内視鏡を制御する制御装置が収容される収容部に設けられた内視鏡を保持するための内視鏡保持部に前記内視鏡が保持された状態における前記撮像素子の撮像範囲内に存在する物体に配置されるマークの形状と、前記撮像範囲内に存在する前記収容部の形状である内視鏡の状態識別方法。
【請求項１４】
内視鏡に含まれる撮像素子から出力された撮像画像信号を取得し、前記撮像画像信号から予め決められたパターンを検出するパターン検出ステップと、
前記パターンが検出された場合には前記内視鏡が未使用状態にあることを認識し、前記パターンが非検出の場合には前記内視鏡が使用状態にあることを認識する状態識別ステップと、をコンピュータに実行させるための内視鏡の状態識別プログラム。
【発明の詳細な説明】
【技術分野】
【０００１】
本発明は、内視鏡の制御装置、内視鏡装置、内視鏡の状態識別方法、内視鏡の状態識別プログラムに関する。
【背景技術】
【０００２】
内視鏡装置には、発熱の抑制又は装置寿命の向上等の様々な目的のために、内視鏡が使用状態である場合と未使用状態である場合のどちらであるかを識別する機能を持つもの（例えば特許文献１，２参照）、又は、体腔内に内視鏡が挿入されている挿入状態と、体腔内に内視鏡が挿入されていない非挿入状態とのどちらであるかを識別する機能を持つもの（例えば、特許文献３参照）が知られている。
【０００３】
特許文献１には、内視鏡が未使用状態にあることを認識すると、光源を自動的に消灯する内視鏡装置が記載されている。この内視鏡装置は、内視鏡の撮像素子によって連続して撮像される撮像画像の変化状況に基づいて、使用状態と未使用状態との識別を行っている。具体的には、この内視鏡装置は、撮像画像の変化が少ない場合に、内視鏡が未使用状態であると認識している。
【０００４】
特許文献２には、器具が未使用状態であることを認識すると、器具の使用中において加熱される少なくとも１つのコンポーネントを出力削減させることで、発熱を抑制する内視鏡器具が記載されている。この内視鏡器具では、内部に設けられた位置センサ又は加速度センサによって器具の動きを検出し、その動きの有無によって、使用状態と未使用状態との識別を行っている。
【０００５】
特許文献３には、内視鏡が非挿入状態であると認識すると、内視鏡のライトガイドから出射される照明光の光量を下げる内視鏡装置が記載されている。この内視鏡装置では、内視鏡の撮像素子によって撮像される撮像画像の輝度分布によって、非挿入状態と挿入状態との識別を行っている。具体的には、この内視鏡装置は、撮像画像の輝度分布の変化率が高い場合に非挿入状態であると認識している。
【先行技術文献】
【特許文献】
【０００６】
【特許文献１】特開平０１−３０３１２２号公報
【特許文献２】特開２０１１−０７２７８１号公報
【特許文献３】特開２０００−１８９３８３号公報
【発明の概要】
【発明が解決しようとする課題】
【０００７】
特許文献１に記載されているように、撮像画像の変化が少ない場合に内視鏡が未使用状態であると認識する方法では、例えば、内視鏡が未使用状態にて所定の場所に載置されていて、その場所の明るさが変動したり、その場所の近傍を人が通過して撮像画像に人が写り込んだりした場合等に、内視鏡が使用状態であると誤認識される可能性がある。
【０００８】
特許文献２に記載された方法では、内視鏡器具の内部に物理的なセンサを設ける必要があり、内視鏡器具の製造コストが増大する。また、既に発売済みの器具に対しては、ソフトウェアバージョンアップのような簡易的な仕組みでは対応することができない。
【０００９】
特許文献３に記載された内視鏡装置では、内視鏡が非挿入状態であることは認識できても、検査開始直前又は検査終了直後等のように内視鏡が手で把持されていて使用されている使用状態の場合と、内視鏡が把持されておらず、内視鏡が所定の場所に載置されていて待機中となっている未使用状態の場合とを区別することはできない。また、撮像画像の輝度分布の変化率が高い場合に非挿入状態であると認識する方法では、内視鏡が所定の場所に載置されていて未使用状態にあり、その場所の明るさの変動が少ない場合に、内視鏡が挿入状態（使用状態）であると誤認識されてしまう可能性がある。
【００１０】
本発明は、上記事情に鑑みてなされたものであり、内視鏡の製造コストの増大を防ぎながら、内視鏡が使用状態と未使用状態のどちらにあるのかを識別することのできる内視鏡の制御装置、内視鏡装置、内視鏡の状態識別方法、及び内視鏡の状態識別プログラムを提供することを目的とする。
【課題を解決するための手段】
【００１１】
本発明の内視鏡の制御装置は、上記内視鏡に含まれる撮像素子から出力された撮像画像信号を取得し、上記撮像画像信号から予め決められたパターンを検出するパターン検出部と、上記パターンが検出された場合には上記内視鏡が未使用状態にあることを認識し、上記パターンが非検出の場合には上記内視鏡が使用状態にあることを認識する状態識別部と、を備えるものである。
【００１２】
本発明の内視鏡装置は、上記制御装置と、上記制御装置によって制御される内視鏡と、を備えるものである。
【００１３】
本発明の内視鏡の状態識別方法は、上記内視鏡に含まれる撮像素子から出力された撮像画像信号を取得し、上記撮像画像信号から予め決められたパターンを検出するパターン検出ステップと、上記パターンが検出された場合には上記内視鏡が未使用状態にあることを認識し、上記パターンが非検出の場合には上記内視鏡が使用状態にあることを認識する状態識別ステップと、を備えるものである。
【００１４】
本発明の内視鏡の状態識別プログラムは、内視鏡に含まれる撮像素子から出力された撮像画像信号を取得し、上記撮像画像信号から予め決められたパターンを検出するパターン検出ステップと、上記パターンが検出された場合には上記内視鏡が未使用状態にあることを認識し、上記パターンが非検出の場合には上記内視鏡が使用状態にあることを認識する状態識別ステップと、をコンピュータに実行させるためのものである。
【発明の効果】
【００１５】
本発明によれば、内視鏡の製造コストの増大を防ぎながら、内視鏡が使用状態と未使用状態のどちらにあるのかを識別することのできる内視鏡の制御装置、内視鏡装置、内視鏡の状態識別方法、及び内視鏡の状態識別プログラムを提供することができる。
【図面の簡単な説明】
【００１６】
【図１】本発明の内視鏡装置の一実施形態である内視鏡装置１００の概略構成を示す図である。
【図２】図１に示す内視鏡装置１００における内視鏡１の概略構成を示す模式図である。
【図３】図１に示す内視鏡装置１００の内部構成を示す模式図である。
【図４】図３に示すプロセッサ装置４のシステム制御部４４の機能ブロックを示す図である。
【図５】内視鏡１が内視鏡保持部３２に保持された状態における撮像素子２３の撮像範囲の一例を示す図である。
【発明を実施するための形態】
【００１７】
以下、本発明の実施形態について図面を参照して説明する。
【００１８】
図１は、本発明の内視鏡装置の一実施形態である内視鏡装置１００の概略構成を示す図である。図２は、図１に示す内視鏡装置１００における内視鏡１の概略構成を示す模式図である。
【００１９】
図１に示すように、内視鏡装置１００は、内視鏡１と、この内視鏡１を制御する制御装置２と、を備える。制御装置２は、プロセッサ装置４と、光源装置５と、を備える。
【００２０】
プロセッサ装置４には、撮像画像等を表示する表示部７と、プロセッサ装置４に対して各種情報を入力するためのインタフェースである入力部６と、が接続されている。プロセッサ装置４は、内視鏡１、光源装置５、及び表示部７を制御する。
【００２１】
図１及び図２に示すように、内視鏡１は、一方向に延びる管状部材であって体腔内に挿入される挿入部１０と、挿入部１０の基端部に設けられた観察モード切替操作、撮影記録操作、鉗子操作、送気送水操作、吸引操作、及び電気メス操作等を行うための操作部材が設けられた操作部１１と、操作部１１に隣接して設けられたアングルノブ１２と、内視鏡１を光源装置５とプロセッサ装置４にそれぞれ着脱自在に接続するコネクタ部１３Ａ，１３Ｂを含むユニバーサルコード１３と、を備える。
【００２２】
図２では省略されているが、操作部１１及び挿入部１０の内部には、細胞又はポリープ等の生体組織を採取するための採取器具である生検鉗子を挿入する鉗子孔、電気メスを格納する格納孔、送気及び送水用のチャンネル、吸引用のチャンネル等の各種のチャンネルが設けられる。
【００２３】
挿入部１０は、可撓性を有する軟性部１０Ａと、軟性部１０Ａの先端に設けられた湾曲部１０Ｂと、湾曲部１０Ｂの先端に設けられた硬質の先端部１０Ｃとから構成される。
【００２４】
湾曲部１０Ｂは、アングルノブ１２の回動操作により湾曲自在に構成されている。この湾曲部１０Ｂは、内視鏡１が使用される被検体の部位等に応じて、任意の方向及び任意の角度に湾曲でき、先端部１０Ｃを所望の方向に向けることができる。
【００２５】
図１に示すように、制御装置２、入力部６、及び表示部７は、下部の基台３３にキャスタ３１が設けられたカート部３に収容される。カート部３は、制御装置２を収容する収容部を構成する。
【００２６】
カート部３には、内視鏡１の操作部１１を懸架して内視鏡１を保持するための内視鏡保持部３２が設けられている。内視鏡保持部３２に保持された状態の内視鏡１は、挿入部１０が常に同じ位置で垂下する。この状態においては、内視鏡１の先端部１０Ｃは、カート部３が設置されている内視鏡検査室の床に対向した状態となる。
【００２７】
カート部３の基台３３は、内視鏡保持部３２に保持された内視鏡１の先端部１０Ｃよりも床側に位置している。カート部３の基台３３には、後述する内視鏡１の状態識別に用いるためのマーカＭが設置されている。マーカＭは、任意のマークが印字されたシール、又は、任意のマークが印字されたクリップ等によって構成されている。このマークは、挿入部１０が挿入される被検体の体腔内には存在し得ないない形状とされる。
【００２８】
図３は、図１に示す内視鏡装置１００の内部構成を示す模式図である。
【００２９】
光源装置５は、光源制御部５１と、光源部５２と、を備える。
【００３０】
光源部５２は、被写体に照射するための照明光を発生させるものである。光源部５２から出射された照明光は、ユニバーサルコード１３に内蔵されたライトガイド２０に入射し、挿入部１０の先端部１０Ｃに設けられた照明用レンズ２０ａを通って被写体に照射される。
【００３１】
光源部５２としては、白色光を出射する白色光源、又は、白色光源とその他の色の光を出射する光源（例えば青色光を出射する青色光源）を含む複数の光源等が用いられる。先端部１０Ｃの先端面には、光源部５２から出射させる光の種類に合わせて照明用レンズ２０ａが複数設けられていてもよい。
【００３２】
光源制御部５１は、プログラムを実行して処理を行う各種のプロセッサにより構成されており、プロセッサ装置４のシステム制御部４４と接続されている。光源制御部５１は、システム制御部４４からの指令に基づいて光源部５２を制御する。
【００３３】
内視鏡１の先端部１０Ｃには、対物レンズ２１及びレンズ群２２を含む撮像光学系と、この撮像光学系を通して被写体を撮像する撮像素子２３と、光源部５２から出射された照明光を照明用レンズ２０ａに導くためのライトガイド２０と、が設けられている。
【００３４】
ライトガイド２０は、先端部１０Ｃからユニバーサルコード１３のコネクタ部１３Ａまで延びている。ユニバーサルコード１３のコネクタ部１３Ａが光源装置５に接続された状態で、光源装置５の光源部５２から出射される照明光がライトガイド２０に入射可能な状態となる。
【００３５】
撮像素子２３は、ＣＣＤ（Ｃｈａｒｇｅ  Ｃｏｕｐｌｅｄ  Ｄｅｖｉｃｅ）イメージセンサ又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等が用いられる。
【００３６】
撮像素子２３は、複数の画素が二次元状に配置された受光面を有し、上記の撮像光学系によってこの受光面に結像された光学像を各画素において電気信号（撮像信号）に変換して出力する。撮像素子２３は、例えば原色又は補色等のカラーフィルタを搭載するものが用いられる。撮像素子２３の受光面の各画素から出力される撮像信号の集合を撮像画像信号という。
【００３７】
なお、光源部５２として、白色光源から出射される白色光を複数色のカラーフィルタによって時分割で分光して照明光を生成するものを用いる場合には、撮像素子２３はカラーフィルタを搭載していないものを用いてもよい。
【００３８】
ユニバーサルコード１３のコネクタ部１３Ｂの内部には内視鏡制御部２６が設けられている。内視鏡制御部２６は、プログラムを実行して処理を行う各種のプロセッサにより構成される。内視鏡制御部２６は、コネクタ部１３Ｂの内部の配線によってプロセッサ装置４のシステム制御部４４と接続されている。内視鏡制御部２６は、システム制御部４４からの指令に基づいて、撮像素子２３を制御する。図１に示した操作部１１の操作（例えば、静止画記録のための撮影操作等）に応じた信号は、内視鏡制御部２６に入力される。
【００３９】
プロセッサ装置４は、信号処理部４２と、表示制御部４３と、システム制御部４４と、を備える。
【００４０】
信号処理部４２は、撮像素子２３から出力されて伝送されてきた撮像画像信号を受信して処理することで、撮像画像データを生成する。信号処理部４２によって生成された撮像画像データは、図示省略のハードディスク又はフラッシュメモリ等の記録媒体に記録される。
【００４１】
表示制御部４３は、信号処理部４２によって生成された撮像画像データに基づく撮像画像を表示部７に表示させる。
【００４２】
システム制御部４４は、プロセッサ装置４の各部を制御すると共に、内視鏡１の内視鏡制御部２６と光源装置５の光源制御部５１とに指令を送り、内視鏡装置１００の全体を統括制御する。システム制御部４４は、内視鏡制御部２６を介して撮像素子２３の制御を行い、光源制御部５１を介して光源部５２の制御を行う。
【００４３】
システム制御部４４は、プログラムを実行して処理を行う各種のプロセッサと、ＲＡＭ（Ｒａｍｄｏｍ  Ａｃｃｅｓｓ  Ｍｅｍｏｒｙ）と、ＲＯＭ（Ｒｅａｄ  Ｏｎｌｙ  Ｍｅｍｏｒｙ）を含む。
【００４４】
本明細書における各種のプロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【００４５】
これら各種のプロセッサの構造は、より具体的には、半導体素子等の回路素子を組み合わせた電気回路である。
【００４６】
システム制御部４４は、各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００４７】
図４は、図３に示すプロセッサ装置４のシステム制御部４４の機能ブロックを示す図である。
【００４８】
システム制御部４４のプロセッサは、システム制御部４４に内蔵されるＲＯＭに格納されたプログラム（内視鏡の状態識別プログラムを含むプログラム）を実行することにより、パターン検出部４４Ａ、状態識別部４４Ｂ、及び制御部４４Ｃとして機能する。
【００４９】
パターン検出部４４Ａは、撮像素子２３から出力された撮像画像信号を取得し、取得した撮像画像信号から予め決められたパターンを検出する。
【００５０】
内視鏡装置１００は、図１に示したマーカＭを、内視鏡１が内視鏡保持部３２に保持された状態における撮像素子２３の撮像範囲内に配置して使用することを前提としている。マーカＭの配置位置は、内視鏡１が内視鏡保持部３２に保持された状態における撮像素子２３の撮像範囲内であれば任意である。
【００５１】
図５は、内視鏡１が内視鏡保持部３２に保持された状態における撮像素子２３の撮像範囲の一例を示す図である。図５に示すように、撮像範囲には、カート部３の一部（基台３３の一部、及び基台３３に立設された立設部３４の一部）と、カート部３が設置されている床ＦＬの一部と、が存在している。カート部３と床ＦＬは撮像範囲内にある物体を構成する。
【００５２】
図１及び図５には、この撮像範囲内にあるカート部３の基台３３にマーカＭを配置する例を示している。マーカＭは、この撮像範囲にある床ＦＬ、例えば先端部１０Ｃと対向する床ＦＬの位置に配置するものとしてもよい。
【００５３】
パターン検出部４４Ａは、上記のパターンとして、マーカＭに印字されているマークの形状を、撮像画像信号から検出する。例えば、マーカＭに印字されているマークの画像をテンプレート画像としてシステム制御部４４のＲＯＭに保存しておく。そして、パターン検出部４４Ａは、撮像画像信号からこのテンプレート画像を用いたパターンマッチングを行うことで、上記のパターンの有無を判定する。
【００５４】
状態識別部４４Ｂは、パターン検出部４４Ａによって上記のパターンが検出された場合には、内視鏡１が未使用状態（使用されていない状態）にあることを認識し、パターン検出部４４Ａによって上記のパターンが非検出となった場合には、内視鏡１が使用状態（使用されている状態）にあることを認識する。
【００５５】
内視鏡１が使用されている状態とは、内視鏡１が内視鏡保持部３２から取り外されて、使用者によって動かされている状態を言う。内視鏡１が使用されていない状態とは、内視鏡１が内視鏡保持部３２に懸架されて、使用者によって動かされていない状態を言う。
【００５６】
制御部４４Ｃは、状態識別部４４Ｂによって内視鏡１が未使用状態にあると認識されている状態から、状態識別部４４Ｂによって内視鏡１が使用状態にあると認識された状態に変化した場合には、以下の（Ａ）〜（Ｇ）に例示される各種の制御の少なくとも１つを実行する。
【００５７】
（Ａ）光源部５２から照明光の出射を開始させる。
（Ｂ）撮像素子２３が撮像している動画の記録を開始する。
（Ｃ）内視鏡検査を行う際に記録すべき各種の時間をカウントするタイマを始動させる。
（Ｄ）検査室の照明を遠隔にて制御できる場合には、この照明を暗くする。
（Ｅ）コロンナビゲーションシステムが使用される検査の場合には、コロンナビゲーションシステムの磁界駆動を開始させる。
（Ｆ）検査前の最終確認のために、表示部７に被検査者の情報を表示させる。
（Ｇ）送水又は送気用のポンプを始動させる。
【００５８】
制御部４４Ｃは、例えば、操作部１１に設けられたボタン操作が使用者によって行われることで、上記（Ａ）〜（Ｇ）に示す各種制御を終了させてもよいが、状態識別部４４Ｂによって内視鏡１が使用状態にあると認識されている状態から、状態識別部４４Ｂによって内視鏡１が未使用状態にあると認識された状態に変化した場合に、上記（Ａ）〜（Ｇ）に示す各種制御を終了させてもよい。
【００５９】
以上のように、内視鏡装置１００によれば、撮像素子２３から出力される撮像画像信号から上記のパターンを検出し、このパターンの有無によって、内視鏡１が使用状態と未使用状態のどちらにあるのかを識別することができる。撮像画像信号の輝度分布等の画像特性を示すパラメータを用いて使用状態と未使用状態の識別を行うのではなく、パターンの検出によって使用状態と未使用状態の識別を行うことで、内視鏡装置１００が置かれている環境に左右されることなく、使用状態と未使用状態の識別を精度よく行うことができる。
【００６０】
また、内視鏡装置１００によれば、市場に出荷されてしまった発売済みの内視鏡１であっても、図１及び図５に例示したマーカＭをカート部３に設置し、システム制御部４４のファームウェアをアップデートするだけで、その内視鏡１の使用状態と未使用状態の識別を行うことが可能になる。このため、既存の内視鏡１を用いた汎用性の高いシステム構築が可能となる。また、新たな内視鏡１を販売する場合においても、内視鏡１に特別な機構は不要となり、内視鏡１の製造コスト増大を防ぐことができる。
【００６１】
また、内視鏡装置１００では、マーカＭがカート部３に設置されて使用される。このため、カート部３が別の場所に移動された場合であっても、マーカＭの位置を変えることなく、内視鏡１の使用状態と未使用状態の識別を行うことができる。
【００６２】
以上の説明では、図５に示す撮像範囲にマーカＭが１つ含まれるようマーカＭを設置するものとしたが、この撮像範囲にマーカＭが複数存在するよう、マーカＭを設置してもよい。
【００６３】
例えば、撮像範囲内にある基台３３と床ＦＬとにそれぞれマーカＭを設置したり、撮像範囲内にある基台３３に２つのマーカＭを設置したりしてもよい。この場合には、パターン検出部４４Ａが、撮像画像信号から、これら２つのマーカＭに印字された各マークの検出を行う。そして、この２つのマークが全て検出された場合に、状態識別部４４Ｂは、内視鏡１が未使用状態にあると認識すればよい。上記の撮像範囲内にマーカＭを複数設置することで、内視鏡１が未使用状態にあることをより高い精度にて認識することができる。
【００６４】
また、以上の説明では、パターン検出部４４Ａが、マーカＭに印字されたマークを上記のパターンとして検出するものとしたが、検出対象とするパターンはこのマークに限らない。
【００６５】
例えば、図５に示した撮像範囲にあるカート部３（基台３３の一部と立設部３４の一部）の形状を、上記のパターンとしてもよい。この構成によれば、マーカＭが不要となり、マーカＭの製造コスト及び配送コスト等を削減することができる。また、この構成によれば、カート部３が別の場所に移動された場合であっても、内視鏡１の使用状態と未使用状態の識別を行うことができる。
【００６６】
また、図５に示した撮像範囲にあるカート部３の形状と、マーカＭに印字されたマークとの両方を、上記のパターンとしてもよい。このようにすることで、内視鏡１が未使用状態にあることをより高い精度にて認識することができる。
【００６７】
ここまで説明してきた内視鏡装置１００は、軟性型の内視鏡１を用いるものとしたが、硬性鏡を用いる内視鏡装置にも本発明は同様に適用可能である。
【００６８】
以上説明してきたように、本明細書には以下の事項が開示されている。
【００６９】
（１）
内視鏡の制御装置であって、
上記内視鏡に含まれる撮像素子から出力された撮像画像信号を取得し、上記撮像画像信号から予め決められたパターンを検出するパターン検出部と、
上記パターンが検出された場合には上記内視鏡が未使用状態にあることを認識し、上記パターンが非検出の場合には上記内視鏡が使用状態にあることを認識する状態識別部と、を備える内視鏡の制御装置。
【００７０】
（２）
（１）記載の内視鏡の制御装置であって、
上記パターンは、上記制御装置が収容される収容部に設けられた内視鏡を保持するための内視鏡保持部に上記内視鏡が保持された状態における上記撮像素子の撮像範囲内に存在する物体に配置されるマークの形状である内視鏡の制御装置。
【００７１】
（３）
（２）記載の内視鏡の制御装置であって、
上記物体は、上記収容部の一部である内視鏡の制御装置。
【００７２】
（４）
（２）又は（３）記載の内視鏡の制御装置であって、
上記物体は、上記収容部の設置されている床である内視鏡の制御装置。
【００７３】
（５）
（１）記載の内視鏡の制御装置であって、
上記パターンは、上記制御装置が収容される収容部に設けられた内視鏡を保持するための内視鏡保持部に上記内視鏡が保持された状態における上記撮像素子の撮像範囲内に存在する上記収容部の形状である内視鏡の制御装置。
【００７４】
（６）
（１）記載の内視鏡の制御装置であって、
上記パターンは、上記制御装置が収容される収容部に設けられた内視鏡を保持するための内視鏡保持部に上記内視鏡が保持された状態における上記撮像素子の撮像範囲内に存在する物体に配置されるマークの形状と、上記撮像範囲内に存在する上記収容部の形状である内視鏡の制御装置。
【００７５】
（７）
（１）から（６）のいずれか１つに記載の内視鏡の制御装置と、
上記制御装置によって制御される内視鏡と、を備える内視鏡装置。
【００７６】
（８）
内視鏡の状態識別方法であって、
上記内視鏡に含まれる撮像素子から出力された撮像画像信号を取得し、上記撮像画像信号から予め決められたパターンを検出するパターン検出ステップと、
上記パターンが検出された場合には上記内視鏡が未使用状態にあることを認識し、上記パターンが非検出の場合には上記内視鏡が使用状態にあることを認識する状態識別ステップと、を備える内視鏡の状態識別方法。
【００７７】
（９）
（８）記載の内視鏡の状態識別方法であって、
上記パターンは、上記内視鏡を制御する制御装置が収容される収容部に設けられた内視鏡を保持するための内視鏡保持部に上記内視鏡が保持された状態における上記撮像素子の撮像範囲内に存在する物体に配置されるマークの形状である内視鏡の状態識別方法。
【００７８】
（１０）
（９）記載の内視鏡の状態識別方法であって、
上記物体は、上記収容部の一部である内視鏡の状態識別方法。
【００７９】
（１１）
（９）又は（１０）記載の内視鏡の状態識別方法であって、
上記物体は、上記収容部の設置されている床である内視鏡の状態識別方法。
【００８０】
（１２）
（８）記載の内視鏡の状態識別方法であって、
上記パターンは、上記内視鏡を制御する制御装置が収容される収容部に設けられた内視鏡を保持するための内視鏡保持部に上記内視鏡が保持された状態における上記撮像素子の撮像範囲内に存在する上記収容部の形状である内視鏡の状態識別方法。
【００８１】
（１３）
（８）記載の内視鏡の状態識別方法であって、
上記パターンは、上記内視鏡を制御する制御装置が収容される収容部に設けられた内視鏡を保持するための内視鏡保持部に上記内視鏡が保持された状態における上記撮像素子の撮像範囲内に存在する物体に配置されるマークの形状と、上記撮像範囲内に存在する上記収容部の形状である内視鏡の状態識別方法。
【００８２】
（１４）
内視鏡に含まれる撮像素子から出力された撮像画像信号を取得し、上記撮像画像信号から予め決められたパターンを検出するパターン検出ステップと、
上記パターンが検出された場合には上記内視鏡が未使用状態にあることを認識し、上記パターンが非検出の場合には上記内視鏡が使用状態にあることを認識する状態識別ステップと、をコンピュータに実行させるための内視鏡の状態識別プログラム。
【符号の説明】
【００８３】
１００  内視鏡装置
１  内視鏡
２  制御装置
２０  ライトガイド
２０ａ  照明用レンズ
２１  対物レンズ
２２  レンズ群
２３  撮像素子
２６  内視鏡制御部
３  カート部
３２  内視鏡保持部
３３  基台
３４  立設部
４  プロセッサ装置
４２  信号処理部
４３  表示制御部
４４  システム制御部
４４Ａ  パターン検出部
４４Ｂ  状態識別部
４４Ｃ  制御部
５  光源装置
５１  光源制御部
５２  光源部
６  入力部
７  表示部
１０  挿入部
１０Ａ  軟性部
１０Ｂ  湾曲部
１０Ｃ  先端部
１１  操作部
１２  アングルノブ
１３  ユニバーサルコード
１３Ａ，１３Ｂ  コネクタ部
Ｍ  マーカ
ＦＬ  床
【図１】
2020025800.tif 000003
【図２】
2020025800.tif 000004
【図３】
2020025800.tif 000005
【図４】
2020025800.tif 000006
【図５】
2020025800.tif 000007